(57)【特許請求の範囲】
【請求項１】
２つの給電点を有し、ループ状に形成されたループ電極と、
前記ループ電極に電気的に接続され、前記ループ電極に沿う位置に形成された補助電極と、を備え、
前記補助電極は、前記給電点からみて、前記ループ電極と同方向に延びていて、
前記補助電極は単一であり、前記２つの給電点のうち一方の給電点の近傍に接続されていることを特徴とするアンテナ。
【請求項２】
２つの給電点を有し、ループ状に形成されたループ電極と、
前記ループ電極に電気的に接続され、前記ループ電極に沿う位置に形成された補助電極と、を備え、
前記補助電極は、前記給電点からみて、前記ループ電極と同方向に延びていて、
前記補助電極は、互いに長さが異なる２つの補助電極であることを特徴とするアンテナ。
【請求項３】
前記補助電極は、前記ループ電極の給電点付近で前記ループ電極に電気的に接続されている、請求項１又は２に記載のアンテナ。
【請求項４】
前記補助電極は、前記ループ電極の外周に沿う位置に形成された、請求項１乃至３の何れかに記載のアンテナ。
【請求項５】
前記補助電極は、少なくとも一部にミアンダパターンの形状を備える、請求項１乃至４の何れかに記載のアンテナ。
【請求項６】
前記ループ電極と前記補助電極とによる回路の共振周波数は通信周波数よりずれている、請求項１乃至５の何れかに記載のアンテナ。
【請求項７】
前記ループ電極と前記補助電極とによる回路の共振周波数はＵＨＦ帯の周波数である、請求項１乃至６の何れかに記載のアンテナ。
【請求項８】
前記通信周波数はＵＨＦ帯であり、
前記ループ電極と前記補助電極とによる回路の共振周波数は、前記通信周波数より３０ＭＨｚ以上低い方にずれている、請求項７に記載のアンテナ。
【請求項９】
請求項１乃至８の何れかに記載のアンテナを備えた無線ＩＣデバイスであって、
前記アンテナの給電点に給電する無線ＩＣを備えた無線ＩＣデバイス。
【請求項１０】
前記無線ＩＣは、前記アンテナの給電点に給電する給電回路と、前記給電回路を介して前記アンテナの給電点に給電するＩＣチップとで構成された、請求項９に記載の無線ＩＣデバイス。
【請求項１１】
前記給電回路は、共振周波数が、前記通信周波数に実質的に相当する共振回路を含む、請求項１０に記載の無線ＩＣデバイス。
【請求項１２】
前記給電回路は、給電回路基板に構成され、前記給電回路基板に前記ＩＣチップが搭載された、請求項１０又は１１に記載の無線ＩＣデバイス。
【発明の詳細な説明】
【技術分野】
【０００１】
この発明は、アンテナ及び無線ＩＣデバイスに関するものである。具体的には、ループ形状のアンテナ及びそれを備えた無線ＩＣデバイスに関するものである。
【背景技術】
【０００２】
無線タグに備えられているアンテナの構造としてループアンテナがある。一般にループアンテナは、給電点を起点としてループ状に形成された電極（導体）で構成されている。非特許文献１にはループアンテナが開示されている。
【先行技術文献】
【非特許文献】
【０００３】
【非特許文献１】社団法人電子通信学会  編著、「アンテナ工学ハンドブック」、株式会社オーム社  出版、平成１１年３月５日発行、第２０頁から第２２頁
【発明の概要】
【発明が解決しようとする課題】
【０００４】
しかし、ループアンテナは一般にインピーダンスの実部が小さいので、無線ＩＣとインピーダンス整合がとりにくく、利得が劣化しやすいという問題があった。すなわち、無線ＩＣのインピーダンスの実部が例えば１０Ω〜２０Ωの範囲内であるのに対し、ループアンテナのインピーダンスの実部は５Ω程度と低い。【０００５】
上述の問題は、特にＵＨＦ帯域において顕著であり、ＵＨＦ帯を利用する無線タグにおいて問題が大きい。
そこで、この発明の目的は、無線ＩＣとのインピーダンス整合をとりやすくして利得の劣化を抑えたアンテナ、及びそれを備えた無線ＩＣデバイスを提供することにある。
【課題を解決するための手段】
【０００６】
この発明のアンテナは、次のように構成する。
（１）２つの給電点を有し、ループ状に形成されたループ電極と、前記ループ電極に電気的に接続されていて、前記ループ電極に沿う位置に形成された補助電極と、を備え、
前記補助電極は、前記給電点からみて、前記ループ電極と同方向に延びていて、前記補助電極は単一であり、前記２つの給電点のうち一方の給電点の近傍に接続されていることを特徴とする。
（２）２つの給電点を有し、ループ状に形成されたループ電極と、前記ループ電極に電気的に接続されていて、前記ループ電極に沿う位置に形成された補助電極と、を備え、
前記補助電極は、前記給電点からみて、前記ループ電極と同方向に延びていて、前記補助電極は、互いに長さが異なる２つの補助電極であることを特徴とする。
【０００７】
（３）前記補助電極は、前記ループ電極の例えば給電点付近で前記ループ電極に電気的に接続されている。
【０００８】
（４）前記補助電極は、例えば前記ループ電極の外周に沿う位置に形成されている。
【００１２】
（５）前記補助電極は、例えば少なくとも一部にミアンダパターンの形状を備える。
【００１３】
（６）前記ループ電極と前記補助電極とによる回路の共振周波数は例えば通信周波数よりずれている。
【００１４】
（７）前記ループ電極と前記補助電極とによる回路の共振周波数はＵＨＦ帯の周波数である
（８）前記通信周波数は例えばＵＨＦ帯であり、前記ループ電極と前記補助電極とによる回路の共振周波数は、前記通信周波数より例えば３０ＭＨｚ以上低い方にずれている。
【００１５】
この発明の無線ＩＣデバイスは、次のように構成する。
（９）以上に示した何れかの構成のアンテナを備え、前記アンテナの給電点に給電する無線ＩＣを備える。
【００１６】
（１０）前記無線ＩＣは、例えば前記アンテナの給電点に給電する（結合する）給電回路と、前記給電回路を介して前記アンテナの給電点に給電するＩＣチップとで構成されたものであってもよい。
【００１７】
（１１）前記給電回路は、例えば共振周波数が、前記通信の周波数に実質的に相当する共振回路を含む。
【００１８】
（１２）前記給電回路は、例えば給電回路基板に構成され、前記給電回路基板に前記ＩＣチップが搭載されたものであってもよい。
【発明の効果】
【００１９】
この発明によれば、ループ電極に電気的に接続されていて、ループ電極に沿う位置に補助電極が形成されているため、ループ電極単体によるループアンテナに比べてインピーダンスの実部が大きくなる。そのため、無線ＩＣとのインピーダンス整合がとり易くなり、アンテナ利得を向上させることができる。
しかもループ電極の片方の給電点付近からループ状電極に沿うように補助電極が配置されることで、ループ電極と補助電極との間に生じる容量とそれぞれのインダクタンスとにより並列共振が生じ、この並列共振により、共振周波数付近のインピーダンスの実部を大きくすることができる。そのため、無線ＩＣとの整合を合わせて易くなり、アンテナ利得が向上する。
【００２０】
また、補助電極がループ電極に沿う位置に形成されることにより、アンテナの放射特性に悪影響を与えることが無い。【００２２】
ループ電極と補助電極とによる回路の共振（前記並列共振）周波数付近では、ループ電極と補助電極とで、流れる電流の位相が逆になるため、アンテナ利得が劣化する。そのため、前記共振周波数を通信で用いる周波数からずらせることで、前記アンテナ利得劣化の影響を小さくできる。【００２３】
補助電極がループ電極の外側に沿うように電極を形成することで、電極間の容量を大きくでき、且つループアンテナの指向性への影響を小さくすることができる。
また、特に、補助電極がループ電極の外側に沿うように配置されることにより、補助電極が磁束の通り道を妨げないので、アンテナ利得がより大きくなる。
【図面の簡単な説明】
【００２４】
【図１】図１（Ａ）は第１の実施形態に係るアンテナ１０１の平面図、図１（Ｂ）はそのアンテナ１０１を備えた無線ＩＣデバイス２０１の平面図である。
【図２】図２（Ａ）は、図１に示した無線ＩＣデバイス２０１を構成した基板の平面図、図２（Ｂ）は無線タグ３０１の平面図、図２（Ｃ）は無線タグ３０１の斜視図である。
【図３】無線ＩＣデバイス２０１の等価回路図である。
【図４】図４（Ａ）は図１に示したアンテナ１０１の補助電極２０を設けない場合の、所定の周波数範囲におけるインピーダンスをスミスチャート上に表した図である。図４（Ｂ）は図１に示したアンテナ１０１の所定の周波数範囲におけるインピーダンスをスミスチャート上に表した図である。
【図５】図５（Ａ）は、図１に示したアンテナ１０１の実部インピーダンスの周波数特性を示す図である。図５（Ｂ）は、図１に示したアンテナ１０１のアンテナ利得の周波数特性を示す図である。
【図６】第２の実施形態に係る無線ＩＣ３１の斜視図である。
【図７−１】給電回路基板４０の各層の電極パターンを示す図である。
【図７−２】給電回路基板４０と給電回路の等価回路図である。
【図８】第３の実施形態に係るアンテナ１０２の平面図である。
【図９】図９（Ａ）は第３の実施形態に係るアンテナ１０２の電流強度の分布を示す図、図９（Ｂ）は第３の実施形態に係るアンテナ１０２のアンテナ利得の周波数特性を示す図である。
【図１０】図１０（Ａ）は第３の実施形態に係るアンテナ１０２の第１の比較対照であるアンテナ１２１の電流強度の分布を示す図、図１０（Ｂ）はアンテナ１２１のアンテナ利得の周波数特性を示す図である。
【図１１】図１１（Ａ）は第３の実施形態に係るアンテナ１０２の第２の比較対照であるアンテナ１２２の電流強度の分布を示す図、図１１（Ｂ）はアンテナ１２２のアンテナ利得の周波数特性を示す図である。
【図１２】第４の実施形態に係るアンテナ１０３の平面図である。
【図１３】第５の実施形態に係るアンテナ１０４の平面図である。
【図１４】第６の実施形態に係るアンテナ１０５の平面図である。
【図１５】第７の実施形態に係るアンテナ１０６の平面図である。
【図１６】第８の実施形態に係るアンテナ１０７の平面図である。
【図１７】第９の実施形態に係るアンテナ１０８の平面図である。
【図１８】第１０の実施形態に係るアンテナ１０９の平面図である。
【発明を実施するための形態】
【００２５】
《第１の実施形態》
図１（Ａ）は第１の実施形態に係るアンテナ１０１の平面図、図１（Ｂ）はそのアンテナ１０１を備えた無線ＩＣデバイス２０１の平面図である。
アンテナ１０１は、２つの給電点１１，１２を有し、これらの給電点を始点および終点としたループ状に形成されたループ電極１０と、ループ電極１０に電気的に接続され、ループ電極１０の外周に沿う位置に形成された補助電極２０と、を備えている。ループ電極１０は主たる放射素子として機能する。
【００２６】
ループ電極１０及び補助電極２０は、例えば基板にパターン形成された銅箔である。ループ電極１０の両端付近を給電点１１，１２としている。補助電極２０の第１の端部はループ電極１０の一方の給電点１１付近に電気的に接続されていて、そこから補助電極２０はループ電極１０に対して、ループ電極１０と平行に同方向に延びている。そして補助電極２０の第２の端部は開放されている。
【００２７】
後述するように、補助電極２０を設けたことにより、ループ電極１０単体でアンテナ（ループアンテナ）を構成した場合に比べて、アンテナのインピーダンス（実部）を高めることができ、無線ＩＣとのインピーダンス整合がとり易くなる。
【００２８】
また、補助電極がループ電極に沿う位置に、つまりループ電極と平行に補助電極が形成されることにより、ループ電極が磁界アンテナとして動作する場合には、アンテナの放射特性に悪影響を与えることが無い。また、補助電極の幅がループ電極の幅より細いので、補助電極を設けたことによるパターン形成に要する面積がほとんど増大することがない。
【００２９】
図１（Ｂ）に示すように、ループ電極１０の給電点１１，１２に無線ＩＣ３０が実装されることによって、無線ＩＣデバイス２０１が構成される。
【００３０】
無線ＩＣ３０は、メモリー回路やロジック回路を有しており、ループ電極１０の給電点１１，１２と導通し、ループ電極１０及び補助電極２０によるアンテナ１０１を用いて、無線ＩＣデバイス２０１を無線タグとして機能させる。
【００３１】
図２（Ａ）は、図１に示した無線ＩＣデバイス２０１を構成した基板の平面図、図２（Ｂ）は無線タグ３０１の平面図、図２（Ｃ）は無線タグ３０１の斜視図である。
図２（Ａ）に示すように、中央部に孔Ｈ１を有する円板状（ドーナツ盤状）の基板５０に、図１に示した無線ＩＣデバイス２０１が構成されている。
【００３２】
図２（Ｂ），図２（Ｃ）に表れているように、無線タグ３０１は、図２（Ａ）に示した基板をモールド樹脂６０でモールドすることによって構成されている。モールド樹脂６０の中央部には孔Ｈ２が形成されている。この孔Ｈ２は、無線タグで管理する物品に取り付けるために利用できる。
【００３３】
図３は、前記無線ＩＣデバイス２０１の等価回路図である。ここでは、ループ電極１０を、三つのインダクタＬ１１，Ｌ１２，Ｌ１３による集中定数回路で表している。このループ電極に給電回路ＦＣが接続されることになる。三つのインダクタＬ１１，Ｌ１２，Ｌ１３によってループアンテナＬＡが構成されている。補助電極２０はインダクタＬ２０で表している。前記インダクタＬ１１はループ電極１０と補助電極２０との誘導結合によるインダクタでもある。さらに、ループ電極１０と補助電極２０との間に生じる容量をキャパシタＣ２０で表している。インダクタＬ１１，Ｌ２０及びキャパシタＣ２０によって並列共振回路ＰＲＣが構成されている。但し、本来分布定数回路であるものを集中定数回路に変換して表しているので、必ずしも正確な等価回路ではなく、イメージ図又は簡易図である。
【００３４】
この等価回路は、ループ電極に対して並列共振する共振器をループ電極に付加することによってインピーダンス整合させるようにした回路と捉えることができる。前記共振回路の共振周波数ではループ電極１０に流れる電流と補助電極２０に流れる電流の位相が逆相関係になるのでアンテナ利得が低下する。そのため、Ｌ２０およびＣ２０で組まれた共振器の共振周波数を無線タグで用いる通信周波数よりも低く設定することが望ましい。
【００３５】
図４（Ａ）は図１に示したアンテナ１０１の補助電極２０を設けない場合の、所定の周波数範囲におけるインピーダンスをスミスチャート上に表した図である。図４（Ｂ）は図１に示したアンテナ１０１の所定の周波数範囲におけるインピーダンスをスミスチャート上に表した図である。
ここでは、ＵＨＦ帯に適用した例を示す。
【００３６】
図４（Ａ）、図４（Ｂ）において、スミスチャート上の点Ｆａ，Ｆｂ，Ｆｃは、周波数８６０ＭＨｚ、９１５ＭＨｚ、９６０ＭＨｚにそれぞれ対応する周波数でのインピーダンスを指している。
【００３７】
このように、補助電極２０を設けることによって、図３に示した並列共振回路ＰＲＣが付加されることになり、その共振周波数で、給電点１１，１２から見たインピーダンスが大きくなる。ここでは、並列共振回路ＰＲＣの共振周波数を８６０ＭＨｚに定めている。
【００３８】
補助電極２０が存在しない場合、各周波数におけるインピーダンスの実部は次のとおりである。
【００３９】
――――――――――――――――――――――
周波数［ＭＨｚ］    インピーダンス［Ω］
――――――――――――――――――――――
８６０                ２．９
９１５                ５．２
９６０                ５．７
――――――――――――――――――――――
また、補助電極２０を備えたアンテナ１０１の各周波数におけるインピーダンスの実部は次のとおりである。
【００４０】
――――――――――――――――――――――
周波数［ＭＨｚ］    インピーダンス［Ω］
――――――――――――――――――――――
８６０            １００．８
９１５              １６．７
９６０              １０．５
――――――――――――――――――――――
このように、ループ電極の電気長が利用周波数の半波長（９００ＭＨｚであれば約１６ｃｍ）以下のとき、補助電極を設けない場合（ループ電極単体の場合）、アンテナのインピーダンスが数Ω程度と低いが、補助電極２０を設けることによって、アンテナのインピーダンスは１０数Ω以上となる。そのため、入出力端子から見たインピーダンスが一般に１０Ω〜２０Ω程度である無線ＩＣとインピーダンス整合をとることができる。
【００４１】
図５（Ａ）は、アンテナのインピーダンスの実部の周波数特性を示す図である。図５（Ｂ）は、アンテナ利得の周波数特性を示す図である。
上述のとおり、この例では前記並列共振回路の共振周波数を８６０ＭＨｚに設定しているので、周波数８６０ＭＨｚでインピーダンスが最大になり、周波数がそれより高くても低くてもインピーダンスは小さくなる。
【００４２】
一方、共振周波数の８６０ＭＨｚでは、図３に示したインダクタＬ１１とＬ２０に流れる電流の位相が逆位相となるので、図５（Ｂ）に表れているように、８６０ＭＨｚでアンテナ利得は最低となる。周波数がそれより高くても低くてもアンテナ利得は大きくなる。したがって、前記共振回路の共振周波数を通信周波数よりずらすことにより、通信周波数で所定のアンテナ利得が得られる。この例では、周波数９１５ＭＨｚ又は９６０ＭＨｚで利用可能となる。
【００４３】
なお、前記共振回路は、回路のリアクタンスが共振周波数以下では誘導性（インダクタンス）、共振周波数以上では容量性（キャパシタンス）となる。そして、誘導性よりも容量性の方が損失が小さいことから、容量性となる共振周波数以上の周波数で、アンテナ利得が大きくなる。そのため、前記共振回路の共振周波数は通信周波数より高い方ではなく低い方にずれるように定めた方がよい。
【００４４】
特に、ＵＨＦ帯においては、通信周波数帯より３０ＭＨｚ以上低い方にずれていることが好ましい。この例では、通信周波数帯域が９６０ＭＨｚであり、前記共振回路の共振周波数は、９６０ＭＨｚ−３０ＭＨｚ＝９３０ＭＨｚ以下の周波数に定められている。
【００４５】
前記共振回路の共振周波数は、補助電極２０の形状、寸法、ループ電極１０に対する位置関係を定めればよい。例えば補助電極２０の長さによってインダクタンスを定め、ループ電極１０との間隙、及びループ電極１０と対向している部分の長さによってキャパシタンスを定めることができる。
【００４６】
ループ電極１０の長さは、使用周波数の１／２波長未満の電気長を有していることが好ましい。これにより、ループ電極が磁界アンテナとして機能する。磁界アンテナであれば、水などの誘電体がアンテナの近傍にあっても、その影響を受けにくい。そのため、衣類や動物をはじめとして様々な物品に取り付けて用いることができる。
【００４７】
以上に示したように、ループ電極１０の外側に沿うように補助電極２０を形成することによりアンテナの利得が向上する。アンテナの利得は主にループ電極１０の形状に依存するが、補助電極２０がループ電極１０の外側にあると、放射エリア、つまりアンテナの実効面積が擬似的に広くなるので、そのことによってアンテナ利得が向上する。
【００４８】
また、補助電極２０がループ電極１０の給電点からみて同方向に延びるように形成することで、前記共振周波数からずれた周波数で、補助電極２０に流れる電流が、ループ電極１０に流れる電流と同方向に流れる。このことにより、ループ電極１０による磁束が補助電極２０による磁束で打ち消されることがなく、アンテナ利得を向上させることができる。
【００４９】
また、ループ電極１０の給電点付近に補助電極を接続した方が、共振周波数からずれた周波数で、ループ電極１０と補助電極２０に流れる電流の向きが同方向に揃いやすくなる。そのため、アンテナ利得をより向上させることができる。
【００５０】
また、ループ電極１０に接続した補助電極は、単一であった方が、損失を最小限に抑えることができ、アンテナ利得をより向上させることができる。
【００５１】
なお、本実施形態のアンテナは、主にループ電極でアンテナとしての利得を得ており、補助電極でインピーダンスの整合を図っている。そのため、ループ電極を太くすると利得向上の点で望ましい。
【００５２】
《第２の実施形態》
図６は第２の実施形態に係る無線ＩＣ３１の斜視図である。
図１に示した例では、無線ＩＣ３０が半導体ＩＣチップ単体であることを想定して図示した。図６の例では、給電回路基板４０と無線ＩＣチップ３０Ｔとで無線ＩＣ３１を構成している。図７−１は給電回路基板４０の各層の電極パターンを示す図である。図７−２は給電回路基板４０と給電回路の等価回路図である。
【００５３】
給電回路基板４０の上面に無線ＩＣチップ３０Ｔが搭載されている。その状態で、給電回路基板４０の上面に形成されている端子電極４３ａ，４３ｂ，４４ａ，４４ｂに無線ＩＣチップ３０Ｔの端子電極が接続される。
【００５４】
図７−１において、（Ａ）〜（Ｈ）は給電回路基板４０の各層の電極パターンを示す図である。給電回路基板４０は、それぞれに所定の電極パターンが形成された誘電体層４１ａ〜４１ｈを備える多層基板である。図７−１（Ａ）に示す誘電体層４１ａは最上層の誘電体層、図７−１（Ｈ）に示す誘電体層４１ｈは最下層の誘電体層である。端子電極４４ａから端子電極４４ｂまでの間に、誘電体層４１ａ〜４１ｈの線路電極４２ａ，４６ａ，４２ｂ及びビア電極４５ａ，４７ａ，４８ａによって第１のコイルＬ１が構成されている。同様に、端子電極４４ａから端子電極４４ｂまでの間に、誘電体層４１ａ〜４１ｈの線路電極４６ｂ及びビア電極４７ｂ，４８ｂによって第２のコイルＬ２が構成されている。なお、誘電体層４１ａ〜４１ｈは、セラミックや液晶ポリマー等で構成される。
【００５５】
具体的には次のとおりである。
（Ａ）層には端子電極４３ａ，４３ｂ，４４ａ，４４ｂが形成されている。また、（Ａ）層において、端子電極４４ａ，４４ｂとビア電極４５ａ，４５ｂとが、線路電極４２ａ，４２ｂでそれぞれ接続されている。
【００５６】
（Ｂ）〜（Ｈ）で示す各層には、線路電極４６ａ，４６ｂがそれぞれ形成されている。（Ｂ）層の線路電極４６ａの第１の端部４６ａ−１は、（Ａ）層のビア電極４５ａに導通している。（Ｂ）層において、線路電極４６ａの第２の端部はビア電極４７ａに導通している。
【００５７】
（Ｃ）〜（Ｈ）で示す各層の線路電極４６ａの第１の端部は上層のビア電極４７ａに導通している。（Ｃ）〜（Ｈ）の各層において、線路電極４６ａの第２の端部はビア電極４７ａに導通している。
【００５８】
（Ｈ）層の線路電極４６ａの第２の端部４６ａ−２は、（Ｂ）〜（Ｇ）で示した各層のビア電極４８ａを介して（Ａ）層のビア電極４５ｂに繋がっている。
【００５９】
ここまで述べた構成により、端子電極４４ａ−４４ｂ間に、線路電極４６ａ及びビア電極４７ａ，４８ａによる７ターンの第１のコイルが構成されている。
【００６０】
一方、（Ｂ）層の線路電極４６ｂの第１の端部４６ｂ−１は、（Ａ）層の端子電極４４ｂに導通している。（Ｂ）層において、線路電極４６ｂの第２の端部はビア電極４７ｂに導通している。
【００６１】
（Ｃ）〜（Ｈ）で示す各層の線路電極４６ｂの第１の端部は上層のビア電極４７ｂに導通している。（Ｃ）〜（Ｈ）の各層において、線路電極４６ｂの第２の端部はビア電極４７ｂに導通している。
【００６２】
（Ｈ）層の線路電極４６ｂの第２の端部４６ｂ−２は、（Ｂ）〜（Ｇ）で示した各層のビア電極４８ｂを介して（Ａ）層の端子電極４４ａに繋がっている。
【００６３】
ここまで述べた構成により、端子電極４４ａ−４４ｂ間に、線路電極４６ｂ及びビア電極４７ｂ，４８ｂによる７ターンの第２のコイルが構成されている。
【００６４】
図６に示した無線ＩＣ３１は図１に示したループ電極１０の給電点１１，１２の上部に接着する。このことにより、第１のコイルと給電点１１とが電磁界結合し、第２のコイルと給電点１２とが電磁界結合する。
【００６５】
図７−２の等価回路のとおり、第１のコイルＬ１と第２のコイルＬ２に無線ＩＣチップ３０Ｔによる給電回路ＦＣが接続される。第１のコイルＬ１は給電点１１に結合し、第２のコイルＬ２は給電点１２に結合する。
【００６６】
なお、第１のコイルと第２のコイルは巻回方向が逆であり、第１・第２のコイル（インダクタンス素子）で発生する磁界が相殺され、所望のインダクタンス値を得るための電極長が長くなるので、Ｑ値が低くなる。そのため、給電回路の共振特性の急峻性がなくなるので、共振周波数付近で広帯域化することができる。第１のコイルと第２のコイルを含む共振回路の共振周波数は通信周波数に実質的に相当していることが望ましい。
【００６７】
このように給電回路が共振周波数を有するので、広い帯域で通信することができたり、無線タグを貼り付けようとする対象物による周波数ずれの影響を小さくしたりすることができる。
【００６８】
また、給電回路基板を備えることにより、無線ＩＣチップをループ電極の給電点に直接搭載する場合に比べて、無線ＩＣの実装が容易になる。また、給電回路基板が外部応力を吸収するので、無線ＩＣの機械的強度を強くすることができる。
【００６９】
上述の例においては、無線ＩＣを無線ＩＣチップと給電回路基板とによって構成したが、無線ＩＣチップ上に給電回路を再配線でパターン形成することによって無線ＩＣを構成してもよい。
【００７０】
《第３の実施形態》
図８は第３の実施形態に係るアンテナ１０２の平面図である。
図８に示すアンテナ１０２は、２つの給電点１１，１２を有し、ループ状に形成されたループ電極１０と、ループ電極１０に電気的に接続されていて、ループ電極１０の外周に沿う位置に形成された補助電極２０と、を備えている。補助電極２０はループ電極１０の外周に沿って一周以上に亘って形成されている。このように、補助電極２０は一周以上に亘って延びていてもよい。
【００７１】
図９（Ａ）は第３の実施形態に係るアンテナ１０２の電流強度の分布を示す図である。この例では、９５０ＭＨｚでの各部の電流の向きを矢じりの向きで表し、電流強度を矢じりの濃度で表している。但し、シミュレーションの都合上、図９（Ａ）ではループ電極１０及び補助電極２０を多角形状にしている。
【００７２】
図９（Ｂ）は第３の実施形態に係るアンテナ１０２のアンテナ利得の周波数特性を示す図である。このように、使用周波数である９５０ＭＨｚで−９ｄＢの利得が得られる。
【００７３】
一方、図１０（Ａ）は第３の実施形態に係るアンテナ１０２の第１の比較対照であるアンテナ１２１の電流強度の分布を示す図、図１０（Ｂ）はアンテナ１２１のアンテナ利得の周波数特性を示す図である。このように、補助電極２０の接続位置（分岐位置）が給電点から離れていると、ループ電極１０における電流と補助電極２０における電流が逆向きになる部分が生じるため、利得が低下する。図１０（Ｂ）の例では、９５０ＭＨｚで−３０ｄＢの利得しか得られていない。図９（Ａ）に示したように、接続位置が給電点近傍であると、ループ電極１０における電流と補助電極２０における電流が同じ方向になるので、利得が向上する。
【００７４】
また、図１１（Ａ）は第３の実施形態に係るアンテナ１０２の第２の比較対照であるアンテナ１２２の電流強度の分布を示す図、図１１（Ｂ）はアンテナ１２２のアンテナ利得の周波数特性を示す図である。このように、補助電極２０がループ電極１０とは反対方向に延びていると、ループ電極１０における電流と補助電極２０における電流とが逆向きになる部分が生じるため、利得が低下する。図１１（Ｂ）の例では、９５０ＭＨｚで−２７ｄＢの利得しか得られていない。図９（Ａ）に示したように、補助電極２０が給電点からみてループ電極１０と同方向に延びていると、ループ電極１０における電流と補助電極２０における電流が同じ方向になるので、利得が向上する。
【００７５】
《第４の実施形態》
図１２は第４の実施形態に係るアンテナ１０３の平面図である。
図１２に示すアンテナ１０３は、２つの給電点１１，１２を有し、ループ状に形成されたループ電極１０と、ループ電極１０に電気的に接続されていて、ループ電極１０の外周に沿う位置に形成された補助電極２０と、を備えている。補助電極２０は概略的にループ電極１０の外周に沿っているが、全経路に亘ってループ電極１０に沿っているわけではない。ループ電極１０の給電点１１，１２の近傍では、補助電極２０はループ電極１０から離れた位置で円弧を描いている。このように、補助電極２０が全体に円弧状となっていることで、擬似的な放射エリアが広がり、利得を向上させることができる。
【００７６】
《第５の実施形態》
図１３に示すアンテナ１０４は、２つの給電点１１，１２を有し、ループ状に形成されたループ電極１０と、ループ電極１０に電気的に接続され、ループ電極１０の外周と内周に沿う位置に形成された補助電極２０と、を備えている。すなわち、補助電極２０の第１の端部はループ電極の一方の給電点１１付近に電気的に接続され、ループ電極１０の外周に沿って形成され、補助電極２０の第２の端部はループ電極１０の給電点１１，１２の間を通って、ループ電極１０の内周に沿って形成されている。
【００７７】
このように、補助電極２０の先端部はループ電極１０の内周に沿って延びていてもよい。
【００７８】
《第６の実施形態》
図１４は第６の実施形態に係るアンテナ１０５の平面図である。第１〜第５の各実施形態では、単一の補助電極２０を備えた例を示したが、第６の実施形態では、二つの補助電極を備えている。
【００７９】
すなわち、アンテナ１０５は、２つの給電点１１，１２を有し、ループ状に形成されたループ電極１０と、ループ電極１０の給電点１１，１２付近に電気的に接続され、ループ電極１０の外周に沿う位置に形成された補助電極２１，２２と、を備えている。
【００８０】
補助電極２１，２２はループ電極１０に対して沿って配置されている。このような形状であっても、アンテナ１０５は図３に示した等価回路で表すことができ、共振回路の付加による効果を得ることができる。
【００８１】
補助電極が２つある場合に、両者が同じ電気長を有していると、補助電極が１本であるときと２本であるときとでインピーダンス変化が少ないが、２つの補助電極のそれぞれの電気長を異ならせると、それぞれの補助電極の作用により、アンテナのインピーダンスの調整がより効果的に行われる。なお、２つの補助電極２１，２２の電気長は同じであってもよい。
【００８２】
《第７の実施形態》
図１５は第７の実施形態に係るアンテナ１０６の平面図である。第１〜第６の各実施形態では、補助電極２０の第１の端部をループ電極１０の外側に電気的に接続されるようにした。第７の実施形態では、ループ電極１０の一方の給電点１１付近でループ電極１０の内側に補助電極２０の第１の端部が電気的に接続されるように形成している。
このように補助電極２０はループ電極１０の内側にあってもよい。
【００８３】
《第８の実施形態》
第８の実施形態は本発明の請求項１には含まれない。
図１６は第８の実施形態に係るアンテナ１０７の平面図である。第１〜第７の各実施形態では、補助電極をループ電極の給電点付近に電気的に接続されるように形成した。また、補助電極の第１の端部がループ電極に電気的に接続され、第２の端部が開放されていた。第８の実施形態では、補助電極２１，２２がループ電極１０の中央付近に電気的に接続されるように形成している。また、二つの補助電極２１，２２をループ電極１０の略同じ位置に電気的に接続されるように形成している。この形状は、一つの補助電極の中央（端部以外の位置）をループ電極１０に電気的に接続された形状と見なすこともできる。
【００８４】
このように補助電極が２つある場合に、２つの補助電極のそれぞれの電気長を異ならせると、それぞれの補助電極の作用により、アンテナのインピーダンスの調整がより効果的に行われる。なお、２つの補助電極２１，２２の電気長は同じであってもよい。
【００８５】
《第９の実施形態》
図１７は第９の実施形態に係るアンテナ１０８の平面図である。第１〜第８の各実施形態では、ループ電極１０及び補助電極が円形又は円弧状であった。第８の実施形態では、ループ電極１０及び補助電極２０が矩形状である。
ループ電極及び補助電極は曲線状でなくてもよく、多角形状であってもよい。
【００８６】
《第１０の実施形態》
図１８は第１０の実施形態に係るアンテナ１０９の平面図である。
図１８に示すアンテナ１０９は、２つの給電点１１，１２を有し、ループ状に形成されたループ電極１０と、ループ電極１０に電気的に接続されていて、ループ電極１０の外周に沿う位置に形成された補助電極２０と、を備えている。補助電極２０の一部にはミアンダパターン２０ｍを備えている。このように、補助電極２０の一部にミアンダパターンを備えることによって、アンテナの面積を増大することなく、アンテナのインピーダンスを所定値に定めることができる。
【符号の説明】
【００８７】
ＦＣ…給電回路
Ｈ１，Ｈ２…孔
３０，３１…無線ＩＣ
Ｌ１…第１のコイル
Ｌ２…第２のコイル
Ｌ１１，Ｌ１２，Ｌ１３，Ｌ２０…インダクタ
ＰＲＣ…並列共振回路
１０…ループ電極
１１，１２…給電点
２０，２１，２２…補助電極
３０Ｔ…無線ＩＣチップ
４０…給電回路基板
５０…基板
６０…モールド樹脂
１０１〜１０９…アンテナ
２０１…無線ＩＣデバイス
３０１…無線タグ
【図１】
0005522177.tif 000002
【図２】
0005522177.tif 000003
【図３】
0005522177.tif 000004
【図４】
0005522177.tif 000005
【図５】
0005522177.tif 000006
【図６】
0005522177.tif 000007
【図７−１】
0005522177.tif 000008
【図７−２】
0005522177.tif 000009
【図８】
0005522177.tif 000010
【図９】
0005522177.tif 000011
【図１０】
0005522177.tif 000012
【図１１】
0005522177.tif 000013
【図１２】
0005522177.tif 000014
【図１３】
0005522177.tif 000015
【図１４】
0005522177.tif 000016
【図１５】
0005522177.tif 000017
【図１６】
0005522177.tif 000018
【図１７】
0005522177.tif 000019
【図１８】
0005522177.tif 000020